【事件の表示】
　特願２０１６−　１７２８０「携帯電話」拒絶査定不服審判事件〔平成２９年　８月１０日出願公開、特開２０１７−１３９５１９〕について、次のとおり審決する。
【結　論】
　本件審判の請求は、成り立たない。
【理　由】
１．手続の経緯
　本願は、平成２８年２月１日の出願であって、平成２８年９月２８日付けで拒絶査定がなされ（発送日：同年１０月４日）、これに対して平成２８年１２月２６日に拒絶査定不服審判の請求がされると同時に手続補正がされ、平成２９年９月１１日付けで当審より拒絶理由通知（以下、「当審拒絶理由通知」という。）が通知され、平成２９年１１月１０日に手続補正がされるとともに意見書が提出されたものである。
２．本願発明
　本願の請求項１に係る発明（以下、「本願発明」という。）は、平成２９年１１月１０日付け手続補正書の特許請求の範囲に記載された次のとおりのものである。
　「　　【請求項１】
　画面を表示するディスプレイを備え、
　前記ディスプレイの画面がオフになった後に当該ディスプレイの画面がオンになると、前記ディスプレイにロック画面を表示する携帯電話であって、
　前記ロック画面においてロックが解除された状態で通話が開始した場合は、当該通話中に前記ディスプレイの画面がオフになった後に、当該通話が終了して当該ディスプレイの画面がオンになっても、前記ディスプレイにロック画面を表示しない、携帯電話。」
３．引用発明等
（１）　引用文献３、引用発明について
　当審拒絶理由に引用され、本願出願前に公開された、国際公開第２０１５／１９９１６０号（以下、「引用文献３」という。）には、図面とともに以下の記載がある（下線は当審において付与。以下同様。）。
ア　段落［０００９］
「　＜第１実施例＞ 　図１に示される
携帯電話機１０は、一例としてスマートフォン
であり、
イ　段落［００３２］
「［００３２］
　携帯電話機１０では、
無操作の状態で所定時間（たとえば、１５秒）が経過すると、自動的にディスプレイ１４およびタッチパネル１６の電源がオフにされる
　　
ウ　段落［００３７］−［００４０］
「［００３７］
　図３は着呼中に表示される着呼画面の一例を示す図解図である。図３を参照して、ディスプレイ１４の表示範囲は状態表示領域６０および機能表示領域６２を含む。状態表示領域６０には、アンテナ３４による電波受信状態を示すピクト、二次電池５４の残電池容量を示すピクトおよび時刻が表示される。機能表示領域６２には、着呼画面が表示される。この着呼画面には、着呼中であることを示す文字列と、発呼者を示す文字列および画像と、応答するための２つのキーと、操作を説明するための文字列などが含まれる。
［００３８］
　発呼者を示す文字列および画像は、相手の電話機の電話番号に対応付けて、相手（発呼者）の名前と画像とを含むアドレスデータが登録されているときに、そのアドレスデータに基づいて表示される。ただし、このようなアドレスデータが登録されていない場合、着呼画面には「発呼者不明」と表示され、発呼者が不明であることを示す画像が表示される。
［００３９］
　応答するための２つのキーには、着呼キー６４および保留キー６６が含まれている。着呼中に着呼キー６４に対してスワイプ操作がされると、通信可能状態が確立され、プロセッサ３０は通話処理を実行する。つまり、ユーザは、着呼キー６４に対してタッチ操作を行うことで、発呼者との通話を開始することが出来る。また、着呼中に保留キー６６に対してスワイプ操作されると、着呼可能状態が確立され、プロセッサ３０は保留処理を実行する。保留処理が実行されると、たとえば通話応答が出来ないことを伝える音声メッセージが発呼者の電話機に送信される。つまり、ユーザは、保留キー６６に対してタッチ操作を行うことで、発呼者に対して着呼に応答できないことを伝えることが出来る。
［００４０］
　また、
着呼画面およびその後の通話画面では、近接センサ２４によって物の近接が検出されているときは、タッチパネル１６に対するタッチ操作が制限され
つまり、通話中などでは携帯電話機１０がユーザの顔に近づけられるため、タッチパネル１６がユーザの顔を検出し誤動作する可能性がある
ため、
通話中において近接センサ２４によって物の近接が検出されている場合は、タッチパネル１６に対してタッチ操作が行われても、キー操作に対応する処理などが実行されないようにタッチ操作が制限される
エ　段落［００４１］−［００４５］
「［００４１］
　ここで、携帯電話機１０は、
タッチパネル１６に対するユーザの意図しない入力による誤操作を防止するために、タッチ操作に基づく所定の処理の実行を制限するロック状態を設定することができ
電源キー２２ｂが操作されると、ディスプレイ１４およびタッチパネル１６の電源がオフにされると共にロック状態が設定され
この状態で、メニューキー２２ａが操作されると、ディスプレイ１４およびタッチパネル１６の電源がオンとなり、ロック画面が表示され、ロック状態の解除操作が受け付けられるようにな
ただし、ディスプレイ１４の電源が自動的にオフにされた場合も、ロック状態が設定され
ロック状態では、ロック画面が表示されるまでは、ディスプレイ１４およびタッチパネル１６の電源がオフにされているため、携帯電話機１０の消費電力が抑えられ
［００４２］
　図４はロック画面の一例を示す図解図である。図４を参照して、ロック状態で、たとえばメニューキー２２ａまたは電源キー２２ｂが操作されると機能表示領域６２にロック画面が表示される。
ロック画面には、
ロック状態を解除するためのスタートキー７０およびロック状態を解除すると共に電話機能を実行するための電話キー７２が含まれ
［００４３］
　たとえば、スタートキー７０に対してタップ操作がされると、そのタップ操作が解除操作として受け付けられロック状態が解除される。そして、スタートキー７０を利用してロック状態が解除されると、図５に示す操作ロック画面が表示される。操作ロック画面には、日時アイコン６８が表示されると共に、開始アイコン７４が表示される。そして、この開始アイコン７４に対して、任意の方向に所定距離以上のスワイプ操作（開始操作）がされると、操作ロック状態が解除されてホーム画面が表示される。つまり、ユーザは、ロック状態が設定されている状態では、ロック画面で解除操作をした後に、操作ロック画面で開始操作を行うことで、ホーム画面を表示させることが出来る。
［００４４］
　なお、操作ロック画面に代えて、パスワードの入力を受け付けるパスワードロック画面が表示されるようにしてもよい。また、ロック状態が解除された後は、図５に示す操作ロック画面が表示されずにホーム画面が表示されてもよい。さらに、ロック画面として操作ロック画面が表示されてもよい。
［００４５］
　また、
電話キー７２に対してタップ操作がされると、そのタップ操作が解除操作として受け付けられロック状態が解除され
電話キー７２を利用してロック状態が解除されると、ダイヤルキーを含む発呼画面が表示され
ユーザは、発呼画面で任意の電話番号を入力した後に発呼操作を行うことで、任意の相手に電話を掛けることが出来る
　　
オ　段落［００５６］
「［００５６］
　また、着呼画面でポップアップ７６が表示されている場合、近接センサ２４によって物の近接が検出されなくなったときに、ポップアップ７６が消去される。つまり、ユーザは、タッチ操作が実質的に有効になったことに気づくことが出来る。また、上述したように、着呼中は近接センサ２４によってタッチパネル１６に対するタッチ操作を制限しているため、照度センサ２６は利用せずに、近接センサ２４の検出結果に基づいてタッチパネル１６に対する操作が実質的に有効な状態に戻るようにしてある。たとえば、ロック画面などに表示されたポップアップ７６と同様、照度センサ２６によって検出された照度を利用してタッチパネル１６に対する操作を有効にした場合、
携帯電話機１０がユーザの顔の近くにあるにもかかわらず、タッチパネル１６に対するタッチ操作が有効になってしまい、誤動作が起きる可能性がある。そのため、このような誤動作が発生しないようにしてある
カ　段落［００７１］−［００７３］
「［００７１］
　ディスプレイフラグ３４６はディスプレイ１４に画像が表示されているか否かを判断するためのフラグである。たとえば、ディスプレイフラグ３４６は、ディスプレイ１４に画像が表示されるとオンにされ、ディスプレイ１４に表示されている画像が消去されるとオフにされる。ロックフラグ３４８は、ロック状態が設定されているか否かを判断するためのフラグである。たとえば、ロックフラグ３４８は、ロック状態が設定されるとオンにされ、ロック状態が解除されるとオフにされる。着呼フラグ３５０は、着呼中であるかを判断するためのフラグである。たとえば、着呼フラグ３５０は、音声発信信号を受信するとオンにされ、音声発信信号が受信できなくなるとオフにされる。高感度フラグ３５２は、高感度モードが設定されているか否かを判断するためのフラグである。
［００７２］
　なお、これらのフラグの構成は、タッチフラグ３４４と略同じであるため、これらのフラグの構成の詳細な説明は、簡単のため省略する。
［００７３］
　無操作カウンタ３５４は、無操作の状態の時間を計測するためのカウンタである。また、無操作カウンタ３５４は、
ディスプレイ１４の電源がオンにされるか、キー操作や着呼などのイベントが生じると初期化され、時間の計測が開始され
キ　段落［００７６］
「［００７６］
　なお、無操作の状態で所定時間が経過したときにディスプレイ１４およびタッチパネル１６の電源をオフにする
ディスプレイ制御処理
タッチ操作制御処理
これらの２つの処理については既に周知であり、図示および説明は省略する
　上記の各下線部の記載によれば、引用文献３には、次の発明（以下、「引用発明」という。）が記載されているといえる。
「携帯電話機１０は、一例としてスマートフォンであり、
　ディスプレイ１４の電源がオンにされるか、キー操作や着呼などのイベントが生じると初期化され、時間の計測が開始され、
　無操作の状態で所定時間（たとえば、１５秒）が経過すると、自動的にディスプレイ１４およびタッチパネル１６の電源がオフにされる、「ディスプレイ制御処理」と、
　着呼画面およびその後の通話画面では、近接センサ２４によって物の近接が検出されているときは、タッチパネル１６に対するタッチ操作が制限され、つまり、通話中などでは携帯電話機１０がユーザの顔に近づけられるため、タッチパネル１６がユーザの顔を検出し誤動作する可能性があるため、通話中において近接センサ２４によって物の近接が検出されている場合は、タッチパネル１６に対してタッチ操作が行われても、キー操作に対応する処理などが実行されないようにタッチ操作が制限される、「タッチ操作制御処理」と、
を行い、
　タッチパネル１６に対するユーザの意図しない入力による誤操作を防止するために、タッチ操作に基づく所定の処理の実行を制限するロック状態を設定することができ、電源キー２２ｂが操作されると、ディスプレイ１４およびタッチパネル１６の電源がオフにされると共にロック状態が設定され、この状態で、メニューキー２２ａが操作されると、ディスプレイ１４およびタッチパネル１６の電源がオンとなり、ロック画面が表示され、ロック状態の解除操作が受け付けられるようになり、ただし、ディスプレイ１４の電源が自動的にオフにされた場合も、ロック状態が設定され、ロック状態では、ロック画面が表示されるまでは、ディスプレイ１４およびタッチパネル１６の電源がオフにされているため、携帯電話機１０の消費電力が抑えられ、
　ロック画面には、ロック状態を解除するためのスタートキー７０およびロック状態を解除すると共に電話機能を実行するための電話キー７２が含まれ、電話キー７２に対してタップ操作がされると、そのタップ操作が解除操作として受け付けられロック状態が解除され、電話キー７２を利用してロック状態が解除されると、ダイヤルキーを含む発呼画面が表示され、ユーザは、発呼画面で任意の電話番号を入力した後に発呼操作を行うことで、任意の相手に電話を掛けることが出来る、
携帯電話機１０。」 
  
（２）　引用文献４
　当審拒絶理由に引用され、本願出願前に公開された、特開２０１４−２２９９３３号公報（以下、「引用文献４」という。）には、図面とともに以下の記載がある。
ア　段落【００４８】−【００６３】
「【００４８】
　図５を参照しながら、
スマートフォン１による通話の着信に係る制御に
【００４９】
　
スマートフォン１は、相手側の電子機器からの着信を検出すると
ステップＳ１１
、着信中を示す着信画面６０ａをタッチスクリーンディスプレイ２（ディスプレイ２Ａ）に表示
【００５０】
　着信画面６０ａは、ボタン６１ａ、６１ｂ、６１ｃ、６１ｄ及び６５と、表示領域６２、６３及び６４とを含む。
【００５１】
　ボタン６１ａは、音質調整機能を設定するためのボタンである。ボタン６１ｂは、音声の出力先をレシーバ７からスピーカ１１へ切り替えるためのボタンである。ボタン６１ｃは、少なくとも「０」から「９」の１０個の数字に対応したキーオブジェクトを含むダイアル（キーパッド）をディスプレイ２Ａに表示させるためのボタンである。ボタン６１ｄは、通話に関する各種の機能を呼び出すためのメニューをディスプレイ２Ａに表示させるためのボタンである。ボタン６５は、着信に応答するためのボタンである。ボタン６５は、着信に応答するためにタップではなく、ドラッグ等の他の操作を受け付けるオブジェクトであってもよい。
【００５２】
　着信画面６０ａにおいて、ボタン６１ａ、６１ｂ、６１ｃ、６１ｄは、画面の下端部に小さく配置され、ボタン６５は、その上方に大きく配置される。このため、利用者は、着信画面６０ａにおいて最も重要な操作である応答を容易に実行することができる。このことは、相手を待たせることなく、迅速かつ確実に応答することを可能にする。
【００５３】
　表示領域６２には、音質調整機能に含まれる機能のうち、利用者によって有効化された機能に対応したアイコンが表示される。表示領域６３には、着信相手に関する情報が表示される。表示領域６４には、着信中であることを示すメッセージが表示される。図５に示す例では、着信相手がコンタクトデータ９Ｙに登録されている山田太郎さんであるものとする。この場合、スマートフォン１は、ステップＳ１１に示すように、コンタクトデータ９Ｙに登録されている山田太郎さんの画像データを表示領域６３に表示し、コンタクトデータ９Ｙに登録されている山田太郎さんの名前をメッセージの一部として表示領域６４に表示する。
【００５４】
　着信画面６０ａにおいて、表示領域６３及び表示領域６４は、着信画面６０ａの領域の大きな部分を占めている。このことは、利用者が、誰から着信があったのかを迅速に把握することを可能にする。
【００５５】
　このように、着信画面６０ａは、利用者が、誰から着信があったのかを迅速に把握し、迅速かつ確実に応答することができるように、シンプルに構成されている。
【００５６】
　ステップＳ１１では、
着信に気付いた利用者は、着信画面６０ａのボタン６５をタップすることで、オフフック操作を行
スマートフォン１は、ボタン６５に対するタップを検出すると
ステップＳ１２
、通話処理を開始し、通話中を示す通話画面６０ｂをディスプレイ２Ａに表示
【００５７】
　通話画面６０ｂは、ボタン６１ａ、６１ｂ、６１ｃ、６１ｄ及び６７と、表示領域６２、６３及び６６とを含む。ボタン６７は、通話を切断するためのボタンである。
【００５８】
　通話画面６０ｂにおいて、ボタン６１ａ、６１ｂ、６１ｃ、６１ｄは、画面の下端部に小さく配置され、ボタン６７は、その上方に大きく配置される。このため、利用者は、通話画面６０ｂにおいて最も重要な操作である通話の切断を容易に実行することができる。このことは、迅速かつ確実に通話を切断することを可能にする。
【００５９】
　表示領域６６には、通話中であることを示すメッセージが表示される。ステップＳ１２では、スマートフォン１は、通話中の相手が山田太郎さんであることを示すために、山田太郎さんの画像データを表示領域６３に表示し、山田太郎さんの名前をメッセージの一部として表示領域６６に表示する。
【００６０】
　通話画面６０ｂにおいて、表示領域６３及び表示領域６６は、通話画面６０ｂの領域の大きな部分を占めている。このことは、利用者が、誰と通話中であるのかを確実に把握することを可能にする。
【００６１】
　このように、通話画面６０ｂは、利用者が、誰と通話中であるのかを迅速に把握し、迅速かつ確実に通話を切断することができるように、シンプルに構成されている。
【００６２】
　その後、
利用者は、レシーバ７から出力される相手の音声を聞くために、通話画面６０ｂを表示しているスマートフォン１を耳に近付け
スマートフォン１は、近接センサ５によって近接する物体の存在を検出すると
ステップＳ１３
、ディスプレイ２Ａの表示が消された状態とな
表示が消された状態において、スマートフォン１は、ディスプレイ２Ａの表示を消し、タッチスクリーン２Ｂを無効化
これにより、スマートフォン１は、タッチスクリーン２Ｂに対する利用者の耳等の接触を画面に対する操作として検出して誤動作する可能性を低減でき、さらに電力消費を小さくすることができ
【００６３】
　
通話中にディスプレイ２Ａの表示が消された状態は、いわゆるロック状態とは異な
ロック状態では、
ロック画面の表示中に所定の操作を検出しなければ、通常の利用状態に復帰しない
一方、通話中にディスプレイ２Ａの表示が消された状態では、スマートフォン１は、使用中であることが前提であるので、使用開始の意思を確認するロック画面を表示することなく、通常の利用状態に復帰する
イ　段落【０１００】
「【０１００】
  コントローラ１０は、ステップＳ１０４として、ディスプレイ２Ａの表示が再び必要かを判定する。コントローラ１０は、
例えば、近接センサ５によって近接する物体の存在が検出されていない場合に、ディスプレイ２Ａの表示が再び必要であると判定
ディスプレイ２Ａを再び表示させ、タッチスクリーン２Ｂを有効化させる
４．対比
　本願発明と引用発明とを対比すると次のことがいえる。
（１）　引用発明の「携帯電話機１０」は、本願発明の「携帯電話」に相当する。
　引用発明の携帯電話機１０が「通話画面」や「ロック画面」などを表示する「ディスプレイ１４」を備えることは、本願発明の「携帯電話」が「画面を表示するディスプレイを備え」ることに相当する。
（２）　引用発明の「タッチパネル１６に対するユーザの意図しない入力による誤操作を防止するために、タッチ操作に基づく所定の処理の実行を制限するロック状態を設定することができ、
電源キー２２ｂが操作されると、ディスプレイ１４
の電源がオフにされると共にロック状態が設定され
メニューキー２２ａが操作されると、ディスプレイ１４
の電源がオンとなり、ロック画面が表示され
ただし、ディスプレイ１４の電源が自動的にオフにされた場合も、ロック状態が設定され
（３）　引用発明の「
ロック画面には
電話キー７２が含まれ
電話キー７２に対してタップ操作がされると
ロック状態が解除され
任意の相手に電話を掛けることが出来る
した場合は、当該通話中に前記ディスプレイの画面がオフになった後に、当該通話が終了して当該ディスプレイの画面がオンになっても、前記ディスプレイにロック画面を表示しない
　したがって、本願発明と引用発明との間には、次の一致点・相違点があるといえる。
［一致点］ 
「画面を表示するディスプレイを備え、
　前記ディスプレイの画面がオフになった後に当該ディスプレイの画面がオンになると、前記ディスプレイにロック画面を表示する携帯電話であって、
　前記ロック画面においてロックが解除された状態で通話が開始する、携帯電話。」
［相違点］ 
　本願発明では、前記ロック画面においてロックが解除された状態で通話が開始「した場合は、当該通話中に当該通話中に前記ディスプレイの画面がオフになった後に、当該通話が終了して当該ディスプレイの画面がオンになっても、前記ディスプレイにロック画面を表示しない」のに対し、引用発明では、そのような場合は、「当該通話中に前記ディスプレイの画面がオフになった後に、当該通話が終了して当該ディスプレイの画面がオンになっても、前記ディスプレイにロック画面を表示しない」ことが特定されていない点。 
５．当審の判断
［相違点］について
　引用発明は、「通話中などでは携帯電話機１０がユーザの顔に近づけられるため、タッチパネル１６がユーザの顔を検出し誤動作する可能性があるため」、近接センサで物の近接を検出すると、タッチパネルに対して、「タッチ操作制御処理」を行うものである。
　引用文献４には、上記「３．（２）ア」（段落【００６２】、【００６３】）を参照すると、スマートフォンにおいて、タッチスクリーンに対する利用者の耳等の接触による誤動作を低減し、さらに電力消費を小さくするために、通話中、近接センサが近接する物体の存在を検出すると、タッチスクリーンを無効化するとともに、ディスプレイの表示を消し、通話中にディスプレイの表示が消された状態は、いわゆるロック状態とは異なるものであって、使用開始の意思を確認するロック画面を表示せずに、通常の利用状態に復帰するという技術的事項が記載されるとともに、上記「３．（２）イ」（段落【０１００】）を参照すると、近接センサが近接する物体の存在を検出しなくなると、ディスプレイを再び表示させるという技術的事項が記載されていると認定できる。
　なお、本願明細書の段落【００６３】の「ここで、画面がオンになるトリガは、例えば、ユーザが携帯電話２から耳を遠ざけたことを近接センサ１６が検出するなど、通話が終了したと判断できるタイミングとすることができる。」との記載を参照すると、本願発明における「当該通話が終了して当該ディスプレイの画面がオンにな」ることには、「ユーザが携帯電話から耳を遠ざけたことを近接センサが検出して当該ディスプレイの画面がオンになること」が、少なくとも含まれていると解するのが自然である。
　
　そうすると、引用発明と上記引用文献４記載の技術的事項は、近接センサを利用して、通話中に、タッチパネル（タッチスクリーン）の操作を制限する制御をする点で互いに共通するから、引用発明において、上記の引用文献４記載の技術的事項である、通話中の、ディスプレイに対する制御を採用して、通話中に、近接センサが近接する物体の存在を検出すると、ディスプレイの表示を消し、近接センサが近接する物体の存在を検出しなくなると、使用開始の意思を確認するロック画面を表示せずに、通常の利用状態に復帰するように構成することによって、「当該通話中に前記ディスプレイの画面がオフになった後に、当該通話が終了して当該ディスプレイの画面がオンになっても、前記ディスプレイにロック画面を表示しない」、本願発明に係る上記［相違点］の構成とすることは、当業者であれば容易になし得たことである。 
　さらに、本願発明の効果も、引用発明及び引用文献４に開示された技術的事項に基づいて、当業者が予測し得る範囲内のものである。
６．むすび
　したがって、本願発明は、引用発明、及び、引用文献４に開示された技術的事項に基づいて、当業者が容易に発明をすることができたものであるから、特許法第２９条第２項の規定により特許を受けることができない。
　したがって、本願は、その余の請求項について論及するまでもなく拒絶すべきものである。
　よって、結論のとおり審決する。